【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  インターネット・プロトコルで通信可能なネットワークに接続され、ファクシミリ通信機能を備えた通信端末装置によって画像情報を転送するファクシミリ通信システムにおいて、
受信先の前記通信端末装置は、受信検出時、自通信端末装置に係わる最大の通信バッファサイズを送信元の通信端末装置へ通知する手段を備え、
送信元の前記通信端末装置は、送信時、受信先の通信端末装置より通知された最大の通信バッファサイズをもとに、送信するプライマリパケットサイズまたは付加する冗長パケット数を決定する手段を備え、自動的にプライマリパケットサイズおよび冗長パケット数を決定することを特徴とするファクシミリ通信システム。
【請求項２】  請求項１に記載のファクシミリ通信システムにおいて、送信元の前記通信端末装置の送信するプライマリパケットサイズまたは付加する冗長パケット数を決定する手段は、受信先の通信端末装置より最大の通信バッファサイズが通知されないときには、１回の転送で送信できるデータのＭＴＵ値をもとに、送信するプライマリパケットサイズまたは付加する冗長パケット数を決定することを特徴とするファクシミリ通信システム。
【請求項３】  請求項１に記載のファクシミリ通信システムにおいて、送信元の前記通信端末装置は、通信バッファサイズに応じた最適なプライマリパケットサイズと付加する冗長パケット数とを記憶したパケット管理テーブルを備え、前記送信するプライマリパケットサイズまたは付加する冗長パケット数を決定する手段は、受信先の通信端末装置より通知された最大の通信バッファサイズをもとに、前記パケット管理テーブルに記憶されているプライマリパケットサイズを取得し、その取得したプライマリパケットサイズから付加する冗長パケット数を決定することを特徴とするファクシミリ通信システム。
【請求項４】  請求項１に記載のファクシミリ通信システムにおいて、送信元の前記通信端末装置は、通信バッファサイズに応じた最適なプライマリパケットサイズと付加する冗長パケット数とを記憶したパケット管理テーブルを備え、前記送信するプライマリパケットサイズまたは付加する冗長パケット数を決定する手段は、受信先の通信端末装置より通知された最大の通信バッファサイズをもとに、前記パケット管理テーブルから付加する冗長パケット数を取得し、その取得した付加する冗長パケット数からプライマリパケットサイズを決定することを特徴とするファクシミリ通信システム。
【請求項５】  請求項１に記載のファクシミリ通信システムにおいて、送信元の前記通信端末装置は、過去に通信した相手宛先ごとに、相手宛先情報、付加する冗長パケット数およびプライマリパケットサイズを記憶した通信相手宛先テーブルを備え、前記送信するプライマリパケットサイズまたは付加する冗長パケット数を決定する手段は、前記通信相手宛先テーブルを参照して、送信するときの相手宛先情報をもとに、付加する冗長パケット数またはプライマリパケットサイズ取得して決定することを特徴とするファクシミリ通信システム。
【請求項６】  請求項１に記載のファクシミリ通信システムにおいて、送信元の前記通信端末装置は、ベンダコードごとに付加する冗長パケット数およびプライマリパケットサイズを記憶するベンダテーブルを備え、前記送信するプライマリパケットサイズまたは付加する冗長パケット数を決定する手段は、前記ベンダテーブルを参照して、受信先の通信端末装置より通知されるベンダコードをもとに、プライマリパケットサイズまたは付加する冗長パケット数を決定することを特徴とするファクシミリ通信システム。
【請求項７】  インターネット・プロトコルで通信可能なネットワークに接続され、ファクシミリ通信機能を備え、画像情報を転送する通信端末装置において、受信検出時には、自通信端末装置に係わる最大の通信バッファサイズを送信元の通信端末装置へ通知する手段と、送信時には、受信先の通信端末装置より通知された最大の通信バッファサイズをもとに、送信するプライマリパケットサイズまたは付加する冗長パケット数を決定する手段を備え、自動的にプライマリパケットサイズおよび冗長パケット数を決定することを特徴とする通信端末装置。
【請求項８】  インターネット・プロトコルで通信可能なネットワークに接続され、ファクシミリ通信機能を備え、画像情報を転送する通信端末装置における伝送制御方法において、自動的にプライマリパケットサイズおよび冗長パケット数を決定するために、受信検出時には、自通信端末装置に係わる最大の通信バッファサイズを送信元の通信端末装置へ通知し、
送信時には、受信先の通信端末装置より通知された最大の通信バッファサイズをもとに、送信するプライマリパケットサイズまたは付加する冗長パケット数を決定することを特徴とする伝送制御方法。
【請求項９】  コンピュータに、請求項１乃至６のいずれかに記載のファクシミリ通信システムの機能、請求項７に記載の通信端末装置の機能または請求項８に記載の伝送制御方法の機能を実行させるためのプログラム。
【請求項１０】  請求項９に記載のプログラムを記録したコンピュータ読み取り可能な記録媒体。
【手続補正２】
【補正対象書類名】明細書
【補正対象項目名】０００１
【補正方法】変更
【補正の内容】
【０００１】
【発明の属する技術分野】
本発明は、ファクシミリ通信システム、通信端末装置、伝送制御方法、プログラムおよび記録媒体に関し、具体的には、インターネット・プロトコルで通信可能なネットワークに接続するとともに、ファクシミリ通信機能を備え、画像情報を転送する通信端末装置の伝送制御技術に関する。
【手続補正３】
【補正対象書類名】明細書
【補正対象項目名】００１５
【補正方法】変更
【補正の内容】
【００１５】
本発明は、上述の実情を考慮してなされたものであって、画像情報を転送するときに、紛失したパケットの回復を行う冗長パケット方式で、プライマリパケットサイズと、付加する冗長パケット数を固定値で設定するのではなく、受信先通信端末装置および通信の種類に応じて自動的に最適なプライマリパケットサイズまたは冗長パケット数を決定し、画像情報における転送の信頼性を充分に高めることのできるファクシミリ通信システム、通信端末装置、伝送制御方法、プログラムおよび記録媒体を提供することを目的とする。
【手続補正４】
【補正対象書類名】明細書
【補正対象項目名】００１６
【補正方法】変更
【補正の内容】
【００１６】
【課題を解決するための手段】
上述の課題を解決するために、本発明の請求項１のファクシミリ通信システムは、インターネット・プロトコルで通信可能なネットワークに接続され、ファクシミリ通信機能を備えた通信端末装置によって画像情報を転送するファクシミリ通信システムにおいて、受信先の前記通信端末装置は、受信検出時、自通信端末装置に係わる最大の通信バッファサイズを送信元の通信端末装置へ通知する手段を備え、送信元の前記通信端末装置は、送信時、受信先の通信端末装置より通知された最大の通信バッファサイズをもとに、送信するプライマリパケットサイズまたは付加する冗長パケット数を決定する手段を備え、自動的にプライマリパケットサイズおよび冗長パケット数を決定することを特徴とする。
【手続補正５】
【補正対象書類名】明細書
【補正対象項目名】００１７
【補正方法】変更
【補正の内容】
【００１７】
また、本発明の請求項２は、請求項１に記載のファクシミリ通信システムにおいて、送信元の前記通信端末装置の送信するプライマリパケットサイズまたは付加する冗長パケット数を決定する手段は、受信先の通信端末装置より最大の通信バッファサイズが通知されないときには、１回の転送で送信できるデータのＭＴＵ値をもとに、送信するプライマリパケットサイズまたは付加する冗長パケット数を決定することを特徴とする。
【手続補正６】
【補正対象書類名】明細書
【補正対象項目名】００２１
【補正方法】変更
【補正の内容】
【００２１】
また、本発明の請求項６は、請求項１に記載のファクシミリ通信システムにおいて、送信元の前記通信端末装置は、ベンダコードごとに付加する冗長パケット数およびプライマリパケットサイズを記憶するベンダテーブルを備え、前記送信するプライマリパケットサイズまたは付加する冗長パケット数を決定する手段は、前記ベンダテーブルを参照して、受信先の通信端末装置より通知されるベンダコードをもとに、プライマリパケットサイズまたは付加する冗長パケット数を決定することを特徴とする。
【手続補正７】
【補正対象書類名】明細書
【補正対象項目名】００２２
【補正方法】変更
【補正の内容】
【００２２】
また、本発明の請求項７の通信端末装置は、インターネット・プロトコルで通信可能なネットワークに接続され、ファクシミリ通信機能を備え、画像情報を転送する通信端末装置において、受信検出時には、自通信端末装置に係わる最大の通信バッファサイズを送信元の通信端末装置へ通知する手段と、送信時には、受信先の通信端末装置より通知された最大の通信バッファサイズをもとに、送信するプライマリパケットサイズまたは付加する冗長パケット数を決定する手段を備え、自動的にプライマリパケットサイズおよび冗長パケット数を決定することを特徴とする。
【手続補正８】
【補正対象書類名】明細書
【補正対象項目名】００２３
【補正方法】変更
【補正の内容】
【００２３】
また、本発明の請求項８の伝送制御方法は、インターネット・プロトコルで通信可能なネットワークに接続され、ファクシミリ通信機能を備え、画像情報を転送する通信端末装置における伝送制御方法において、自動的にプライマリパケットサイズおよび冗長パケット数を決定するために、受信検出時には、自通信端末装置に係わる最大の通信バッファサイズを送信元の通信端末装置へ通知し、送信時には、受信先の通信端末装置より通知された最大の通信バッファサイズをもとに、送信するプライマリパケットサイズまたは付加する冗長パケット数を決定することを特徴とする。
【手続補正９】
【補正対象書類名】明細書
【補正対象項目名】００２５
【補正方法】変更
【補正の内容】
【００２５】
以上の構成により、インターネット・プロトコルで通信可能なネットワークに接続され、ファクシミリ通信機能を備えた通信端末装置によって画像情報を転送するファクシミリ通信システムにおいてパケットの紛失を回復する冗長パケット方式で、送信するパケットのプライマリパケットサイズおよび付加する冗長パケット数を固定値で設定するのではなく、受信先の通信端末装置から通知された最大の通信バッファサイズをもとに、そのときのネットワークの許容可能なプライマリパケットサイズおよび付加する冗長パケット数でデータ転送を行うので、ネットワークにおける通信の負荷を減少することができ、ネットワークの利用効率が大幅に向上する。
【手続補正１０】
【補正対象書類名】明細書
【補正対象項目名】００９４
【補正方法】変更
【補正の内容】
【００９４】
【発明の効果】
以上説明したように本発明によれば、最適なデータ転送が可能になり、データ転送に対する伝送の信頼性が大幅に向上する。